【手続補正書】
【提出日】令和1年5月30日(2019.5.30)
【手続補正１】
【補正対象書類名】明細書
【補正対象項目名】０１３４
【補正方法】変更
【補正の内容】
【０１３４】
本発明は、個別的な実施形態に関して記載されているが、本発明はこの実施形態に限定されないことが理解される。よって、特許請求される本発明は、本稿に記載されるこの実施形態からの変形を含む。このことは、当業者には明白であろう。
［付記１］
明度およびクロマについての軸をもつ2D一定色相葉に分割できる3D非線形色域マッピング色空間において、ソース色をターゲット色に、ソース色域からターゲット色域に向けて色域マッピングする方法であって、
一定色相葉のソース・カスプ色は前記一定色相葉内かつ前記ソース色域内における最高の色クロマをもつ色として定義され、
一定色相葉のターゲット・カスプ色は前記一定色相葉内かつ前記ターゲット色域内における最高の色クロマをもつ色として定義され、
当該方法は、クロマCをもつ各ソース色の明度Lを、前記ソース色を含む一定色相葉に関連付けられた明度マッピング関数L'＝f(C,L)に従ってターゲット色の明度L'にマッピングすることを含み、前記明度マッピング関数は、f(CCSOURCE,LCSOURCE)＝LCTARGETに基づくカスプ明度条件を満たすよう定義されており、ここで、LCSOURCEおよびCCSOURCEはそれぞれこの葉のソース・カスプ色の明度およびクロマであり、LCTARGETはこの葉のターゲット・カスプ色の明度であり、
一定色相hの少なくとも一つの葉について、関連付けられた明度マッピング関数は、前記葉のソース・カスプ色の明度LCSOURCEおよび前記葉のターゲット・カスプ色の明度LCTARGETに依存するだけでなく、一定色相hの前記葉とは異なる一定色相葉（単数または複数）の少なくとも一つの他のソース・カスプ色の明度および／または少なくとも一つの他のターゲット・カスプ色の明度にも依存する、
色域マッピング方法。
［付記２］
色相hの一定色相葉に関連付けられた前記関連付けられた明度マッピング関数L'＝f(C,L)は、これらのソース・カスプ色の明度のソース平均および／またはこれらのターゲット・カスプ色の明度のターゲット平均に依存する、付記１記載の色域マッピング方法。
［付記３］
・異なる一定色相葉のソース・カスプ色はソース・カスプ線を表わす多角形をなし、前記ソース平均の諸ソース・カスプ色は、前記ソース・カスプ線と一定色相hの葉との交点から最も近い前記多角形の諸頂点を含む、および／または
・異なる一定色相葉のターゲット・カスプ色はターゲット・カスプ線を表わす多角形をなし、前記ターゲット平均の諸ターゲット・カスプ色は、前記ターゲット・カスプ線と一定色相hの葉との交点から最も近い前記多角形の諸頂点を含む、
付記２記載の色域マッピング方法。
［付記４］
・前記少なくとも一つの他のソース・カスプ色の色相は、ソース色相区間［h−(1−t)ΔhSOURCE,h＋(1−t)ΔhSOURCE］にわたって分布しており、
hは一定色相の前記葉の色相であり、
ΔhSOURCEは前記一定色相hのまわりのソース色相区間であり、前記一定色相hの葉にある前記ソース色域の色の位置における、色相方向での前記マッピング色空間の曲率を表わし、
tは1以下の正の明度重みである、
および／または
・前記少なくとも一つの他のターゲット・カスプ色の色相は、ターゲット色相区間［h−(1−t)ΔhTARGET,h＋(1−t)ΔhTARGET］にわたって分布しており、
hは一定色相の前記葉の色相であり、
ΔhTARGETは前記一定色相hのまわりのターゲット色相区間であり、前記一定色相hの葉にある前記ターゲット色域の色の位置における、色相方向での前記マッピング色空間の曲率を表わし、
tは1以下の正の明度重みである、
付記１または２記載の色域マッピング方法。
［付記５］
前記少なくとも一つの明度マッピング関数は、マッピングすべきソース色の明度Lとソース色域の黒色点の明度LBSOURCEとの間またはマッピングすべきソース色の明度Lとソース色域の白色点の明度LWSOURCEとの間の差を表わすパラメータtに依存する、付記４記載の色域マッピング方法。
［付記６］
前記少なくとも一つの明度マッピング関数は、マッピングすべきソース色のクロマCと前記一定色相hの葉の前記ソース・カスプ色のクロマCCSOURCEとの間の比を表わすパラメータuに依存する、付記４または５記載の色域マッピング方法。
［付記７］
明度およびクロマについての軸をもつ2D一定色相葉に分割できる3D非線形色域マッピング色空間において、黒色点および白色点をもつソース色域において提供されるコンテンツのソース色をターゲット色域のターゲット色にマッピングするよう構成された画像処理装置であって：
・前記ソース色域から、ソース・カスプ線を記述する多角形を形成する諸ソース・カスプ色を得るとともに、前記ターゲット色域から、ターゲット・カスプ線を記述する多角形を形成する諸ターゲット・カスプ色を、得るよう構成されたカスプ・モジュールと、
・マッピングすべき少なくとも一つのソース色がある一定色相の葉があればそれについて、前記カスプ・モジュールによって提供されるこの葉のソース・カスプ色に関連するこの葉の色相hのまわりのソース色相区間と、前記カスプ・モジュールによって提供されるこの葉のターゲット・カスプ色に関連するこの葉の色相hのまわりのターゲット色相区間とを得るよう構成された色相区間モジュールと、
・一定色相hの同じ葉に位置する諸ソース色について、クロマCおよび明度Lをもつこれらソース色の任意のものを明度マッピングするよう適応された明度マッピング関数f(C,L)を定義するよう構成された明度マッピング関数定義モジュールであって、前記明度マッピング関数は一定色相hの前記葉のソース・カスプ色およびターゲット・カスプ色に依存するだけでなく、一定色相hの葉とは異なる一定色相葉（単数または複数）の少なくとも一つの他のソース・カスプ色および少なくとも一つの他のターゲット・カスプ色にも依存し、前記少なくとも一つの他のソース・カスプ色の色相は前記色相区間モジュールによって提供されるソース色相区間に分布しており、前記少なくとも一つの他のターゲット・カスプ色の色相は前記色相区間モジュールによって提供されるターゲット色相区間に分布している、明度マッピング関数定義モジュールと、
・前記明度マッピング関数定義モジュールによって提供される前記明度マッピング関数f(C,L)を一定色相hの前記葉に位置する前記ソース色に適用して明度マッピングされた色を出力するよう構成された明度マッピング・モジュールとを有する、
画像処理装置。
［付記８］
前記明度マッピング・モジュールによって提供される前記明度マッピングされた色を最終マッピングされた色にクロマ・マッピングして、前記ターゲット色域に位置されるようにするよう構成されたクロマ・マッピング・モジュールを有する、付記７記載の画像処理装置。
［付記９］
付記７または８記載の画像処理装置を組み込んでいる電子装置。
［付記１０］
画像表示装置および／または画像捕捉装置を組み込んでいる、付記９記載の電子装置。
［付記１１］
プロセッサに付記１ないし６のうちいずれか一項記載の色域マッピング方法を実行させるための命令を記憶しているプロセッサ可読媒体。
［付記１２］
コンピュータが付記１ないし６のうちいずれか一項記載の色域マッピング方法を実行できるようにするためのコンピュータ実行可能命令を有するコンピュータ可読プログラム。